(57)【要約】【課題】より簡便な方法で、水の滴下が目視できない部位、あるいは狭隘で指先が差し込めないような部位においても漏水の確認作業を確実に行い得る方法を提供することを目的とする。【解決手段】上記水栓１と給水管３との接続部分における漏水の確認方法は以下の通りである。（１）試験体４としての給水・吸油紙（市販のてんぷら敷紙、キッチンペーパー等）を用意する。（２）試験体４を１回ないし複数回折り曲げて折り目部分を外壁面２とフランジ１ｃの間の間隙に差し込む。（３）試験体４を抜き取り、差し込んだ部分の状態を確認する。（４）試験体４が水分を吸収し濡れ色に変化していれば水栓１の接続部１aで漏水していると判断できる。【選択図】図２
2009229371.tif 000002
【特許請求の範囲】
【請求項１】
水道水の吸水によって色または表面の状態の変化が目視可能な試験体を漏水を確認すべき部位にあてて、試験体の状態の変化を目視することによって漏水の有無を確認することを特徴とする給水管及び給水器具の接続部の漏水確認方法。
【請求項２】
前記試験体は、水分の吸収状態が目視可能であり水分の蒸発によって吸収前の状態に回復する材料で構成されたことを特徴とする請求項１に記載した給水管及び給水器具の接続部の漏水確認方法。
【請求項３】
前記試験体は、シート状の紙、織布あるいは不織布で構成されたことを特徴とする請求項２に記載した給水管及び給水器具の接続部の漏水確認方法。
【請求項４】
前記試験体は、水道水に含まれる塩素と反応し変色する成分を含有することを特徴とする請求項１に記載した給水管及び給水器具の接続部の漏水確認方法。
【発明の詳細な説明】
【技術分野】
【０００１】
本発明は、建物の建築工事に伴う給水工事の完了時に、給水管どうしの接続部あるいは給水管と器具との接続部における漏水が発生していないかを確認する漏水確認方法に関するものである。
【背景技術】
【０００２】
従来より、建物の給水管設置工事や水栓等の器具取り付け工事の完了後、その接続部において確実に施工され漏水が発生していないかを確認する作業が行われていた。この漏水確認作業は、漏洩した水が滴下していないか目視をしたり、接続部分を指先で触れてみて指先が濡れてないかという方法で行うのが一般的であった。しかし、このような確認方法の場合、水の滴下が目視できない部位あるいは狭くて指先が差し込めないような部位において、充分な確認作業が行いにくい、という問題があった。また、作業者の触覚に頼る方法は、作業者の身体的性質や体調、施工現場のおかれた環境等によっては判断を誤りかねず、信頼性に欠けるという問題もあった。
【０００３】
特許文献１では、離間した一対のアルミニウム箔の間に水が入り込んで導通することによる電圧の変化によって漏水を検出する技術が開示されている。
【０００４】
【特許文献１】特開平１１−６７８１号公報
【発明の開示】
【発明が解決しようとする課題】
【０００５】
しかし、この方法の場合、電気的に漏水を検出する為、構成が複雑で高価なものになるという問題があった。本発明は、より簡便な方法で、水の滴下が目視できない部位、あるいは狭隘で指先が差し込めないような部位においても漏水の確認作業を確実に行い得る方法を提供することを目的とするものである。
【課題を解決するための手段】
【０００６】
上記従来技術の課題を解決する為の本発明に係る給水管及び給水器具の接続部の漏水確認方法の第１の構成は、水道水の吸水によって色や表面の状態の変化が目視可能な試験体を漏水を確認すべき部位にあてて試験体の状態の変化を目視することによって漏水の有無を確認することを特徴とする。
【０００７】
本発明に係る給水管及び給水器具の接続部の漏水確認方法の第２の構成は、前記第１の構成において、試験体が、シート状の紙、織布あるいは不織布で構成されたことを特徴とする。
【０００８】
本発明に係る給水管及び給水器具の接続部の漏水確認方法の第３の構成は、前記第１または第２の構成において、試験体が、水分の吸収状態が目視可能であり水分の蒸発によって吸収前の状態に回復する材料で構成されたことを特徴とする。
【０００９】
本発明に係る給水管及び給水器具の接続部の漏水確認方法の第４の構成は、前記第１または第２の構成において、試験体が、水道水に含まれる塩素と反応し変色する成分を含有することを特徴とする。
【発明の効果】
【００１０】
本発明に係る給水管及び給水器具の接続部の漏水確認方法の第１の構成によれば、試験体を給水管及び給水器具の接続部にあてて、試験体の状態の変化を目視するという簡便な方法で漏水の有無が確認でき、給水工事完了後の漏水確認作業を短時間で確実に行うことができる。
【００１１】
本発明に係る給水管及び給水器具の接続部の漏水確認方法の第２の構成によれば、薄い素材であるので、例えば壁面と水栓の鍔との隙間等、狭い部分に差し込んで使うことができる等広範囲に使用することができる。
【００１２】
本発明に係る給水管及び給水器具の接続部の漏水確認方法の第３の構成によれば、使用後の試験体を乾燥させることで繰り返し使用できるので、コストを低減することや廃棄物の発生を抑制することができる。
【００１３】
本発明に係る給水管及び給水器具の接続部の漏水確認方法の第４の構成によれば、塩素を含まない雨水や結露水には反応せず、塩素を含む水道水にのみ反応し試験体の色が変化するので、雨天時に屋外の接続部の漏水確認作業や、接続部に結露が生じるような条件であっても確認作業を行うことができ、気象条件による作業の遅延を抑制することができる。
【発明を実施するための最良の形態】
【００１４】
〔第１実施例〕
次に好ましい実施形態について適宜図を用いて説明する。まず、図１、図２を用いて第１実施例について説明する。第１実施例は、外壁に取り付けられた水栓と給水管との接続部分の漏水確認方法であり、図１は外壁に取り付けられる水栓を外壁の内側に立ち上げられた給水管に接続する様子を示す図、図２は水栓を給水管に接続したのち接続部分における漏水の確認作業の様子を示す図である。
【００１５】
図１に示すように水栓１の接続部１ｂにはねじが切られ、水栓１の本体１ａと接続部１ｂの境界部にはフランジ（鍔）１ｃが成形されている。また、外壁２の貫通孔２ｂには給水管３の端部が、その端面が外壁面２ａに一致するように設置され、外壁２の貫通孔２ｂには給水管３の端部の間の空隙には、図２に示すように、湿式シール材７が充填され止水されている。水栓１は給水管３端部の内面にねじを切って形成した水栓接続部３ａに、フランジ１ｃの裏面と外壁面２ａとの間に若干の空隙を残した状態でねじ込まれている。従って、水栓１と給水管３との接続部分を目視することや指で触れてみることが困難な状態となっている。
【００１６】
上記水栓１と給水管３との接続部分における漏水の確認方法は以下の通りである。
【００１７】
（１）試験体４としてのシート状の給水・吸油紙（市販のてんぷら敷紙、キッチンペーパー等）を用意する。（２）試験体４を１回ないし複数回折り曲げて折り目部分を外壁面２ａとフランジ１ｃの間の間隙に差し込む（図２を参照）。（３）試験体４を抜き取り、差し込んだ部分の表面の状態を目視で確認する。（４）試験体４が水分を吸収し表面が濡れ色に変化していれば水栓１の接続部１ｂで漏水していると判断できる。
【００１８】
上記構成によれば、試験体４の材料は厚さの小さい給水・吸油紙であるので、狭い間隙に差し込んで使用することができる。そして、試験体４の表面の色の変化によって水分の吸収状態がわかり、漏水の有無を確実に確認することができる。また、シート状の試験体４を折り曲げて差し込むことにより、試験体４の強度が増し、差し込んだ際に試験体４が障害物に接触して試験体４が破損する可能性を低減することができる。また、吸水性に優れているので漏水している場合には水分を確実に吸収でき、漏水を見逃すことがない。また、吸水や吸油を目的としたものであるので水分を含んでもふやけにくく、水分を蒸発させ試験体４を乾燥させることによって当初の強度や性状に回復させ、繰り返し使用することができる。
【００１９】
〔第２実施例〕
続いて、図３を用いて第２実施例について説明する。第２実施例は、屋外の給水管を構成する直管とエルボとの接続部分における漏水の確認方法であり、図３は、その接続部分を示す図である。図３に示すように、給水管６は２本の外面にねじが切られた直管６ａの端部を内面にねじが切られたエルボ６ｂに螺合して接続されてＬ字状に屈折している。本実施例における試験体５は、白色の不織布に対し上水に含まれる塩素と反応して黄色に変色する成分であるオルトトリジン溶液を含浸させたものである。
【００２０】
本実施例における漏水の確認方法は以下の通りである。
【００２１】
（１）給水管６のＬ字状の屈折部における直管６ａとエルボ６ｂの接続部分に試験体を巻きつける。（２）しばらく経過した後に試験体５を取り除き、試験体５の色の変化を目視で確認する。（３）試験体５が黄色に変色しているようであれば、直管６ａとエルボ６ｂの接続部分で漏水している可能性があり、特に変色した領域が直管６ａとエルボ６ｂの接続部分に沿った領域の場合漏水の可能性がきわめて高いと判断できる。
【００２２】
上記構成によれば、オルトトリジン溶液は塩素を含まない雨水や結露水には反応しないので、雨天時や、給水管６に結露を生じるような条件の場合でも漏水の確認作業を行うことができる。
【００２３】
〔第３実施例〕
続いて、第３実施例について説明する（図はなし）。第２実施例では、あらかじめオルトトリジン溶液を含浸させた不織布による漏水の確認方法であった。これに対し、第３実施例は、紙、織布、不織布等の吸水性のある試験体を、漏水を確認すべき箇所に当接、挿入等したのちに、オルトトリジン溶液を試験体に塗布あるいは噴霧して試験体に含浸させ、試験体が変色するか否かを目視することで漏水を確認するものである。
【００２４】
上記構成によれば、例えば、雨水や結露水の影響を受けない場合は試験体が濡れたか否かで判断し、雨水や結露水の影響を受ける可能性がある場合に限りオルトトリジン溶液を塗布あるいは噴霧して、反応を確認することができる。従って、オルトトリジン溶液の使用量を減らすことができ、コストの増加分を必要最小限に抑えながらも、確実な漏水確認作業を行うことができる。
【産業上の利用可能性】
【００２５】
本発明の漏水確認方法は、給水管のみならず排水管の接合部にも適用することができる。
【図面の簡単な説明】
【００２６】
【図１】外壁に取り付けられる水栓を外壁の内側に立ち上げられた給水管に接続する様子を示す図である。
【図２】水栓を給水管に接続したのちに接続部分における漏水の確認作業の様子を示す図である。
【図３】屋外の給水管を構成する直管とエルボとの接続部分を示す図である。
【符号の説明】
【００２７】
１…水栓
１ａ…本体
１ｂ…接続部
１ｃ…フランジ（鍔）
２…外壁
２ａ…外壁面
２ｂ…貫通孔
３…給水管
３ａ…水栓接続部
４、５…試験体
６…給水管
６ａ…直管
６ｂ…エルボ
７…湿式シール材
【図１】
2009229371.tif 000003
【図２】
2009229371.tif 000004
【図３】
2009229371.tif 000005